【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
少なくとも１つの発光ダイオードを含むランプを制御する装置であって、
前記装置と前記ランプとは、直列に接続可能であり、
前記装置は、
前記装置の端子に結合され、ランプオフ状態では、前記端子間に比較的高いインピーダンスを提供し、ランプオン状態では、前記ランプオン状態の継続時間の第１の部分の間は、前記端子間に比較的低いインピーダンスを提供する第１の回路と、
前記第１の回路を制御する第２の回路と、
前記第１の回路に結合され、前記第２の回路に給電するためのエネルギーを蓄積する第３の回路と、
を含み、
前記比較的高いインピーダンスの値は、前記比較的低いインピーダンスの値よりも少なくとも１０倍大きく、
前記第２の回路は更に、前記第３の回路の両端間にある電圧信号を閾値と比較する比較器回路を含み、前記エネルギーの量の制御は、前記比較器回路からの比較結果に応答して行われる、装置。
【請求項２】
前記第１の回路の前記制御は、前記ランプオフ状態及び前記ランプオン状態の制御と、前記第３の回路に蓄積される前記エネルギーの量の制御とを含み、前記エネルギーの前記蓄積は、前記ランプオフ状態の継続時間の間の蓄積と、前記ランプオン状態の前記継続時間の第２の部分の間の蓄積とを含み、前記第２の部分は、前記第１の部分よりも少なくとも１０倍小さい、請求項１に記載の装置。
【請求項３】
少なくとも１つの発光ダイオードを含むランプを制御する装置であって、
前記装置と前記ランプとは、直列に接続可能であり、
前記装置は、
前記装置の端子に結合され、ランプオフ状態では、前記端子間に比較的高いインピーダンスを提供し、ランプオン状態では、前記ランプオン状態の継続時間の第１の部分の間は、前記端子間に比較的低いインピーダンスを提供する第１の回路と、
前記第１の回路を制御する第２の回路と、
前記第１の回路に結合され、前記第２の回路に給電するためのエネルギーを蓄積する第３の回路と、
を含み、
前記比較的高いインピーダンスの値は、前記比較的低いインピーダンスの値よりも少なくとも１０倍大きく、
前記第２の回路が、前記ランプオフ状態及び前記ランプオン状態を制御するプログラマブルコントローラを備え、
前記プログラマブルマイクロコントローラは、前記第３の回路の両端間にある電圧信号を閾値と比較する比較機能を有し、前記エネルギーの量の制御は、前記プログラマブルマイクロコントローラからの比較結果に応答して行われる、装置。
【請求項４】
前記第３の回路の両端間にある電圧信号の値を増加させる第４の回路を更に含む、請求項１乃至３の何れか一項に記載の装置。
【請求項５】
前記第３の回路の両端間にある電圧信号から、前記給電のための明確かつ安定した電圧信号を導出する第５の回路を更に含む、請求項１乃至４の何れか一項に記載の装置。
【請求項６】
前記装置の前記端子は、前記第１の回路の第１の一次端子及び第２の一次端子に結合され、
前記第１の回路は、
第１の主電極が前記第１の回路の前記第１の一次端子に結合され、第２の主電極が第１の抵抗器の片側に結合される第１のトランジスタと、
第１の主電極が前記第１のトランジスタの制御電極に結合され、制御電極が前記第１の抵抗器の前記片側に結合され、第２の主電極が前記第１の抵抗器のもう片側と第１のダイオードの片側とに結合される第２のトランジスタと、
第１の主電極が前記第１の抵抗器の前記もう片側に結合され、第２の主電極が前記第１の抵抗器の前記片側と第２の抵抗器の片側とに結合され、制御電極が前記第２の抵抗器のもう片側に結合される第３のトランジスタと、
第１の主電極が前記第２の抵抗器の前記もう片側に結合され、第２の主電極が前記第１の回路の前記第２の一次端子に結合され、制御電極が前記第２の回路からの第１の制御信号を受信する第４のトランジスタと、
第１の主電極が前記第１の抵抗器の前記片側に結合され、第２の主電極が前記第１の回路の前記第２の一次端子に結合され、制御電極が前記第２の回路からの第２の制御信号を受信する第５のトランジスタと、
を含む、請求項１又は３に記載の装置。
【請求項７】
前記第３の回路は、片側が前記第１のダイオードのもう片側に結合され、もう片側が前記第１の回路の前記第２の一次端子に結合される第１のコンデンサを含む、請求項６に記載の装置。
【請求項８】
前記第１の回路は更に、
片側が前記第１の回路の前記第１の一次端子に結合される第３の抵抗器と、
片側が前記第３の抵抗器のもう片側に結合される第２のダイオードと、
片側が前記第２のダイオードのもう片側に結合され、もう片側が前記第１のトランジスタの前記制御電極に結合される第４の抵抗器と、
片側が前記第２のダイオードの前記もう片側に結合され、もう片側が前記第１の回路の前記第２の一次端子に結合される第３のダイオードと、
前記第３のダイオードと並列に結合される第２のコンデンサと、
片側が前記第３のダイオードの前記片側に結合される第５の抵抗器と、
片側が前記第５の抵抗器のもう片側に結合され、もう片側が前記第１の回路の前記第２の一次端子に結合される第３のコンデンサと、
を含む、請求項７に記載の装置。
【請求項９】
前記第２の回路は、
第１の入力部が前記第１の制御信号を受信し、出力部が前記第２の制御信号を提供するゲートと、
第１の主電極が前記ゲートの第２の入力部に結合され、第２の主電極が前記第１のコンデンサの前記片側に結合される第６のトランジスタと、
片側が前記第１のコンデンサの前記片側に結合され、もう片側が前記第６のトランジスタの制御電極に結合される第６の抵抗器と、
第１の主電極が前記第６のトランジスタの前記制御電極に結合され、第２の主電極が前記第１の回路の前記第２の一次端子に結合され、制御電極が前記第２の制御信号を受信するシャントレギュレータと、
を含む、請求項８に記載の装置。
【請求項１０】
第４の回路を更に含み、
前記第４の回路は、
第４のダイオード、第５のダイオード、第６のダイオード、及び、第７のダイオードからなる直列接続部と、
第１の出力部が、前記第５のダイオードと前記第６のダイオードとの間の相互接続部に第４のコンデンサを介して結合され、かつ、第７の抵抗器の片側に結合され、また、第２の出力部が、前記第４のダイオードと前記第５のダイオードとの間の相互接続部に第５のコンデンサを介して結合され、かつ、前記第６のダイオードと前記第７のダイオードとの間の相互接続部に第６のコンデンサを介して結合されるシュミットトリガと、
を含み、
前記直列接続部の片側は、前記第１のコンデンサの前記片側に結合され、前記直列接続部のもう片側は、前記第３のコンデンサの前記片側に結合され、
前記第７の抵抗器のもう片側は、前記シュミットトリガの第１の入力部と第７のコンデンサの片側とに結合され、前記第７のコンデンサのもう片側は、前記第１の回路の前記第２の一次端子に結合され、前記第１の出力部は更に、前記シュミットトリガの第２の入力部に結合される、請求項９に記載の装置。
【請求項１１】
入力部が前記第１のコンデンサの前記片側に結合され、出力部が明確かつ安定した電圧信号を提供する電圧レギュレータを含む第５の回路を更に含む、請求項１０に記載の装置。
【請求項１２】
前記装置の前記端子は、前記第１の回路の前記第１の一次端子及び前記第２の一次端子に整流器を介して結合され、前記整流器の入力部は、前記装置の前記端子に結合され、前記整流器の出力部は、前記第１の回路の前記第１の一次端子及び前記第２の一次端子に結合される、請求項６に記載の装置。
【請求項１３】
請求項１又は３に記載の装置を含み、ランプ、蛍光安定器、及び／又は、ドライバを更に含む、デバイス。